(57)【要約】      （修正有）【課題】簡単な構成で当事者であることを証明する印（しるし）として充分に機能する上に、キラキラネーム等を本名或いはペンネーム等としてデザイン性やファッション性を持たせて作成することもできる印鑑を提供する。【解決手段】印鑑は、円形又は矩形（角印）の印面１２の中央に配された「かな（読み仮名）情報刻印部１２Ａ」とその両側に配された第１及び第２の「漢字情報刻印部１２Ｂ、Ｃ」を有し、第１及び第２の「漢字情報刻印部」の組み合わせにより生じる漢字（２文字以上）について印鑑所有者が「そう読ませたい仮名」を中央の「かな（読み仮名）情報刻印部」が表すように構成されている。【選択図】図３
0003211842.tif 000002
【実用新案登録請求の範囲】
【請求項１】
円形又は矩形（角印）の印面の中央に配された「かな（読み仮名）情報刻印部」とその両側に配された第１及び第２の「漢字情報刻印部」を有し、その第１及び第２の「漢字情報刻印部」の組み合わせにより生じる漢字（２文字以上）について印鑑所有者が「そう読ませたい仮名」を中央の「かな（読み仮名）情報刻印部」が表す印面を有することを特徴とする印鑑。
【請求項２】
前記印鑑は、子供用の玩具として用いられるものであることを特徴とする請求項１に記載の印鑑。
【考案の詳細な説明】
【技術分野】
【０００１】
本考案は、印鑑に関し、特に、左右又は上下の両側に分割された漢字二字以上と仮名（キラキラネーム等）の配置に斬新性がある印鑑に関する。
【背景技術】
【０００２】
従来、個人や組織がその当事者であることを証明する印（しるし）として、切り口が円形、楕円形、角型等で全体は棒状等に構成された印鑑が用いられている。尚、上記のような当事者であることを証明する印（しるし）は、はんことし、捺印をした時に紙や書類などに残る文字や絵を表すもの、即ち、印影と呼ばれるものと同じものを印鑑と呼ぶ場合もあるが、現在では二つを同じ意味で使うことも多いので、ここでは、前者の意味、即ち、当事者であることを証明する印（しるし）として、切り口が円形、楕円形、角型等で全体は棒状等に構成されたものを印鑑と呼ぶ。我が国においては、日本語が公用語とされるので、印鑑の印面、即ち、上述した棒状等の部材の切り口であって、捺印をした時に紙や書類などに残る文字や絵を表す印影を生じるものは、日本語の漢字又はひらがなで構成されるものが多い（非特許文献１参照）。
【先行技術文献】
【非特許文献】
【０００３】
【非特許文献１】印相秘訣集  第二版（昭和５２年１０月１日）１０５〜１０９頁（三須啓仙著・株式会社鶴書房）
【考案の概要】
【考案が解決しようとする課題】
【０００４】
上述した従来の印鑑は、個人や組織がその当事者であることを証明する印（しるし）としては充分に機能し、印面にその個人の姓や組織の名称等を漢字で形成し、或いはその個人の姓名や組織の略称等を漢字又は仮名で形成するものであった。
しかしながら、近年、我が国の少子化傾向等もあって子供に珍しい名前がつけられる傾向が生じたと共に、成熟化社会の中で、個性の主張等を企図して、大人になってから、新たにそのような珍しい名前をペンネーム・芸名等として用いる場合もあり、いわゆるキラキラネームがこれに相当する。またキラキラネームとは逆に古風な名前に対して使われるシワシワネームという概念も提唱されている。
従って、このようなキラキラネーム等を本名或いはペンネーム等として印鑑を作製する需要がある上に、更に、その印影にデザイン性やファッション性を持たせたいという要望が生じている。
【０００５】
本考案の目的は、上述した課題を解消し、比較的簡単な構成でありながら個人や組織がその当事者であることを証明する印（しるし）として充分に機能する上に、上述したキラキラネーム等を本名或いはペンネーム等としてデザイン性やファッション性を持たせて作成することが可能な印鑑を提供することにある。
【課題を解決するための手段】
【０００６】
本考案者は、新規且つ有用で斬新な印鑑の構成について鋭意研究を重ねた結果、円形又は矩形（角印）の印面の中央に配された「かな（読み仮名）情報刻印部」とその両側に配された第１及び第２の「漢字情報刻印部」を有し、その第１及び第２の「漢字情報刻印部」の組み合わせにより生じる漢字（２文字以上）について印鑑所有者が「そう読ませたい仮名」を中央の「かな（読み仮名）情報刻印部」が表すという印面構造とすることで、個人や組織がその当事者であることを証明する印（しるし）として充分に機能する上に、上述したキラキラネーム等を本名或いはペンネーム等としてデザイン性やファッション性を持たせ得ることを見出した。
【０００７】
即ち、上記目的を達成するため、本考案の印鑑は、円形又は矩形（角印）の印面の中央に配された「かな（読み仮名）情報刻印部」とその両側に配された第１及び第２の「漢字情報刻印部」を有し、その第１及び第２の「漢字情報刻印部」の組み合わせにより生じる漢字（２文字以上）について印鑑所有者が「そう読ませたい仮名」を中央の「かな（読み仮名）情報刻印部」が表す印面を有することを特徴とする。
【０００８】
尚、前記印鑑は、子供用の玩具として用いられるものであっても良い。
【考案の効果】
【０００９】
本考案によれば、比較的簡単な構成でありながら個人や組織がその当事者であることを証明する印（しるし）として充分に機能する上に、上述したキラキラネーム等を本名或いはペンネーム等としてデザイン性やファッション性を持たせて作成することが可能な印鑑を提供することができる。
【図面の簡単な説明】
【００１０】
【図１】本考案の実施形態に係る印鑑の斜視図である。
【図２】本考案の実施形態に係る印鑑の印面の平面面である。
【図３】本考案の実施形態に係る印鑑の印面の第１の実施例として様々なキラキラネーム等が形成されている例を示す図である。
【図４】本考案の実施形態に係る印鑑の印面の第１及び第２の実施例を比較して示す図であり、（ａ）は、「花咲・にこ」というキラキラネームが形成されている第１の実施例、（ｂ）は、「花咲・にこ」というキラキラネームが形成されている第２の実施例を示す。
【考案を実施するための形態】
【００１１】
図１は、本考案の実施形態に係る印鑑の斜視図、図２は、その印鑑の印面の平面面である。図１に示すように、本考案の実施形態に係る印鑑は、印面（切り口）１２が円形で全体は棒状に構成された印鑑（丸印）１０であり、図２に示すように、その印面１２の中央に配された「かな（読み仮名）情報刻印部」１２Ａとその両側に配された第１及び第２の「漢字情報刻印部」１２Ｂ、１２Ｃを有し、その第１及び第２の「漢字情報刻印部」１２Ｂ、１２Ｃの組み合わせにより生じる漢字（２文字以上）について図示しない印鑑所有者が「そう読ませたい仮名」を中央の「かな（読み仮名）情報刻印部」１２Ａが表す印面構造を有している。尚、この印鑑１０は、個人や組織がその当事者であることを証明する印（しるし）として用いられるものでも良いし、子供が、自分を証明する玩具として用いる印（しるし）、或いは、自分の証明とは無関係に紙等に押すと印影が転写されるのを見て楽しむ、単なる玩具として用いられるものであっても良い。
【００１２】
尚、図２には、「かな（読み仮名）情報刻印部」１２Ａとその両側に配された第１及び第２の「漢字情報刻印部」１２Ｂ、１２Ｃとの境界を仮想的に破線で示しているが、実際の印鑑には、このような境界線は存在しないのは勿論である。また、第１及び第２の「漢字情報刻印部」１２Ｂ、１２Ｃのどちらがわの漢字から先に読む（読ませたい）かは、特に限定されず、どちらからでも良い。また、「かな（読み仮名）情報刻印部」１２Ａは、第１及び第２の「漢字情報刻印部」１２Ｂ、１２Ｃの組み合わせにより生じる漢字（２文字以上）の音読み、訓読み、或いは音読みと訓読みの組み合わせであっても良いし、音読みでも訓読みでも生じ得ない読み方でも良く、要は、図示しない印鑑所有者が「そう読ませたい仮名」を表すものであれば良い。また、第１及び第２の「漢字情報刻印部」１２Ｂ、１２Ｃに刻印される漢字や「かな（読み仮名）情報刻印部」１２Ａに刻印されるかな（読み仮名）の字体（フォント）・大きさ等は任意のものを用いることができる。また、既存の字体（フォント）だけでなく、自由なデザイン形態の「漢字」や「かな」を刻印しても良い。尚、印鑑所有者の嗜好に応じて、第１の「漢字情報刻印部」１２Ｂ又は第２の「漢字情報刻印部」１２Ｃのどちらか一方にだけ漢字（二字以上でも一字でも良い）を刻印し、他方は空白とし、或いは何らかのマークを入れても良い。また、「かな（読み仮名）情報刻印部」１２Ａに刻印される「かな（読み仮名）」は、「ひらがな」だけでなく、「カタカナ」も含まれる。更に、上述したように、第１の「漢字情報刻印部」１２Ｂ又は第２の「漢字情報刻印部」１２Ｃのどちらか一方にだけ漢字（二字以上でも一字でも良い）を刻印し、他方は空白とする場合、その空白の方の刻印部の幅を極小化し、例えば、第１の「漢字情報刻印部」１２Ｂに「陸」を刻印し、中央の「かな（読み仮名）情報刻印部」１２Ａに「あーす」とキラキラネームを縦に刻印し、空白の方の第２の「漢字情報刻印部」１２Ｃの幅を極小化し、見た目の実質上は、縦に２通りの文字で刻印されるようにしても良い。
【００１３】
図３（ａ）（ｂ）（ｃ）は、本考案の実施形態に係る印鑑の印面の第１の実施例として様々なキラキラネームが形成されている例を示す図である。図３（ａ）では、第１の「漢字情報刻印部」１２Ｂに「利」という漢字情報、第２の「漢字情報刻印部」１２Ｃに「夢」という漢字情報、中央の「かな（読み仮名）情報刻印部」１２Ａに「りとむ」というひらがな（読み仮名）情報が刻印されている。上述したように、第１及び第２の「漢字情報刻印部」１２Ｂ、１２Ｃの組み合わせにより生じる漢字「利夢」に対し、中央の「かな（読み仮名）情報刻印部」１２Ａに刻印するのは「りむ」という音読み、「としゆめ」という訓読み、或いは「りゆめ」という音読みと訓読みの組み合わせであっても良い。本実施例では、図示しない印鑑所有者が「そう読ませたい仮名」である「りとむ」を刻印するようにしている。
【００１４】
このように、本考案の実施形態によれば、比較的簡単な構成でありながら、例えば、中央の「かな（読み仮名）情報刻印部」１２Ａに刻印するのを通常の音読み、や訓読みの組み合わせとすることで、個人や組織がその当事者であることを証明する印（しるし）として充分に機能する印鑑となる。更に、中央の「かな（読み仮名）情報刻印部」１２Ａに刻印するのをい印鑑所有者が「そう読ませたい仮名」とすることで、上述したキラキラネーム等を本名或いはペンネーム等として作成することが可能となる。また、既存の字体（フォント）だけでなく、自由なデザイン形態の「漢字」や「かな」を刻印することで、上述したキラキラネーム等を本名或いはペンネーム等としてデザイン性やファッション性を持たせて作成することが可能である。
【００１５】
尚、図３（ｂ）では、第１の「漢字情報刻印部」１２Ｂに「夢」という漢字情報、第２の「漢字情報刻印部」１２Ｃに「乙」という漢字情報、中央の「かな（読み仮名）情報刻印部」１２Ａに「ゆづき」というひらがな（読み仮名）情報が刻印されている。また、図３（ｃ）では、第１の「漢字情報刻印部」１２Ｂに「叶」という漢字情報、第２の「漢字情報刻印部」１２Ｃに「夢」という漢字情報、中央の「かな（読み仮名）情報刻印部」１２Ａに「のえむ」というひらがな（読み仮名）情報が刻印されている。
【００１６】
図４は、本考案の実施形態に係る印鑑の印面の第１及び第２の実施例を比較して示す図であり、（ａ）は、「花咲・にこ」というキラキラネームが形成されている第１の実施例、（ｂ）は、「花咲・にこ」というキラキラネームが形成されている第２の実施例を示す。図４（ａ）に示す第１の実施例では、図３（ａ）（ｂ）（ｃ）に示した例と同様に、図の右側の第１の「漢字情報刻印部」１２Ｂに「花」という漢字情報、図の左側の第２の「漢字情報刻印部」１２Ｃに「咲」という漢字情報、左右に挟まれた中央の「かな（読み仮名）情報刻印部」１２Ａに「にこ」というひらがな（読み仮名）情報が刻印されている。一方、図４（ｂ）に示す第２の実施例では、図３（ａ）（ｂ）（ｃ）に示した例とは異なり、図の上側の第１の「漢字情報刻印部」１２Ｂに「花」という漢字情報、図の下側の第２の「漢字情報刻印部」１２Ｃに「咲」という漢字情報、上下に挟まれた中央の「かな（読み仮名）情報刻印部」１２Ａに「にこ」というひらがな（読み仮名）情報が刻印されている。この図４（ｂ）に示す第２の実施例は、図２に示した印面１２を左に９０度回転させたものに、漢字やひらがなは縦に刻印したものである。このように、第１及び第２の「漢字情報刻印部」１２Ｂ、１２Ｃに刻印される漢字は、当該刻印部１２Ｂ、１２Ｃ内にどのような角度で刻印されていても良いし、「かな（読み仮名）情報刻印部」１２Ａに刻印されるかな（読み仮名）も、当該刻印部１２Ａ内にどのような角度で刻印されていても良い。
【産業上の利用可能性】
【００１７】
以上に述べた実施形態では、本考案を丸印に適用したが、本考案は、特許請求の範囲の記載の範囲内で、角印等、その他の形状の印鑑にも適用され、例えば、書画等に製作者が使用する雅号に用いる角印である雅号印にも好適に適用可能である。また、本考案は、朱肉を別途用いない浸透印の印鑑にも適用されるのは勿論である。この浸透印の印鑑に適用する場合、全体に朱色のインクを浸透させる通常の形態だけでなく、例えば、中央の「かな（読み仮名）情報刻印部」１２Ａだけ浸透するインクの色を変えて「キラキラネーム」であることを強調する等、「かな（読み仮名）情報刻印部」１２Ａ、第１の「漢字情報刻印部」１２Ｂ、第２の「漢字情報刻印部」１２Ｃごとに異なる色のインクを浸透させる構造の印鑑としても良い。更に、本考案は、認印・職印・三文判等の印鑑の用途、木材・貴石・チタン等の印鑑の材質を問わず広く適用することができる。
【符号の説明】
【００１８】
１０  印鑑、  １２  印面、１２Ａ  かな（読み仮名）情報刻印部、
１２Ｂ  第１の漢字情報刻印部、  １２Ｃ  第２の漢字情報刻印部
【図１】
0003211842.tif 000003
【図２】
0003211842.tif 000004
【図３】
0003211842.tif 000005
【図４】
0003211842.tif 000006
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
円形又は矩形の印面の中央に配されたかな情報刻印部とその両側に配された第１及び第２の漢字情報刻印部を有し、その第１及び第２の漢字情報刻印部の組み合わせにより生じる漢字について印鑑所有者がそう読ませたい仮名を中央のかな情報刻印部が表す印面を有することを特徴とする印鑑。
【請求項２】
前記印鑑は、子供用の玩具として用いられるものであることを特徴とする請求項１に記載の印鑑。